【手続補正書】
【提出日】平成30年6月28日(2018.6.28)
【手続補正１】
【補正対象書類名】特許請求の範囲
【補正対象項目名】全文
【補正方法】変更
【補正の内容】
【特許請求の範囲】
【請求項１】
色空間における画像の部分の色特性を規定する色成分を含む画像データを符号化する方法であって、当該方法は、少なくとも画像の部分に対し、
前記画像の部分の色成分から取得された色差成分を、当該色差成分のダイナミック・レンジを拡張するために、利得係数を適用することによってスケーリングすることであって、各々の色差成分に適用される前記利得係数は前記色空間の色域に依存している、前記スケーリングすることと、
前記スケーリングされた色差成分を符号化することと、
を含む、前記方法。
【請求項２】
各々の色差成分に適用される前記利得係数は、前記色差成分が−０．５〜０．５の範囲内となるようにするものである、請求項１に記載の方法。
【請求項３】
前記色差成分のスケーリングは、前記色差成分の量子化の前に適用される、請求項１または２に記載の方法。
【請求項４】
前記色差成分のスケーリングは、前記色差成分の量子化の後に適用される、請求項１または２に記載の方法。
【請求項５】
前記画像の部分は、８ビットを超えるビット深度を有するハイダイナミック・レンジの画像の部分である、請求項１〜４のいずれか１項に記載の方法。
【請求項６】
前記適用される利得係数を表すデータを送信することをさらに含む、請求項１〜５のいずれか１項に記載の方法。
【請求項７】
前記適用される利得係数を表す前記データは、ビデオ・ユーザビリティ情報のフィールドに含まれる、請求項６に記載の方法。
【請求項８】
使用される前記色域を示すデータがビデオ・ユーザビリティ情報のｍａｔｒｉｘ＿ｃｏｅｆｆフィールドに含まれる、請求項７に記載の方法。
【請求項９】
色空間における画像の部分の色特性を規定する色成分を含む画像データを復号する方法であって、当該方法は、少なくとも画像の部分に対し、
受信されたデータ・ビットストリームを復号することと、
前記復号されたビットストリームから色差成分を取得することと、
符号化の前に前記色差成分に適用される利得係数に対応する再スケーリング係数を適用することによって、前記色差成分を再スケーリングすることであって、前記利得係数は前記色空間の色域に依存している、前記再スケーリングすることと、
前記画像の部分の対応する色成分を取得するために、前記再スケーリングされた色差成分を処理することと、
を含む、前記方法。
【請求項１０】
ビデオ・ユーザビリティ情報のフィールドに含まれる、符号化の前に適用される前記利得係数を表すデータを受信することを含む、請求項９に記載の方法。
【請求項１１】
色空間における画像の部分の色特性を規定する色成分を含む画像データを符号化する符号化器であって、
前記画像の部分の色成分から取得された色差成分を、当該色差成分のダイナミック・レンジを拡張するために利得係数を適用することによってスケーリングするスケーリング・モジュールであって、各々の色差成分に適用される前記利得係数は前記色空間の色域に依存している、前記スケーリング・モジュールと、
前記スケーリングされた色差成分を符号化する符号化モジュールと、
を含む、前記符号化器。
【請求項１２】
色空間における画像の部分の色特性を規定する色成分を含む画像データを復号する復号器であって、
受信されたビットストリームを復号する復号モジュールと、
前記復号されたビットストリームから色差成分を取得する処理モジュールと、
符号化の前に前記色差成分に適用される利得係数に対応する再スケーリング係数を適用することによって前記色差成分を再スケーリングする再スケーリング・モジュールであって、各々の色差成分に適用される前記利得係数は前記色空間の色域に依存している、前記再スケーリング・モジュールと、
前記画像の部分の対応する色成分を取得するために前記再スケーリングされた色差成分を処理する画像処理モジュールと、
を含む、前記復号器。
【請求項１３】
色空間における画像の部分の色特性を規定する色成分を含む符号化された画像データであって、請求項１〜８のいずれか１項に記載の方法に従って符号化されている前記画像データと、
ダイナミック・レンジを拡張するために、符号化する前に前記画像データの色差成分に適用される利得係数を表すデータと、
を含む、データ・パッケージ。
【請求項１４】
プログラム可能な装置のためのコンピュータ・プログラムであって、前記プログラム可能な装置にローディングされて実行されたときに、請求項１〜１０のいずれか１項に記載の方法を実行する命令のシーケンスを含む、前記コンピュータ・プログラム。
【手続補正２】
【補正対象書類名】明細書
【補正対象項目名】００８２
【補正方法】変更
【補正の内容】
【００８２】
上述した例示的な実施形態を参照することによって、多くのさらなる変更および変形が
当業者によって提案されるであろう。実施形態は、例示的な目的のみで与えられ、本発明
の範囲を限定するように意図されたものではなく、本発明の範囲は、付随する請求の範囲
によってのみ確定される。特に、種々の実施形態からの種々の特徴事項は、適宜、相互に
置き換え可能である。
ここで例としていくつかの付記を記載する。
（付記１）
色空間における画像の部分の色特性を規定する色成分を含む画像データを符号化する方法であって、当該方法は、少なくとも画像の部分に対し、
前記画像の部分の色成分から取得された色差成分を、当該色差成分のダイナミック・レンジを拡張するために、利得係数を適用することによってスケーリングすることであって、各々の色差成分に適用される前記利得係数は前記色空間の色域に依存している、前記スケーリングすることと、
前記スケーリングされた色差成分を符号化することと、
を含む、前記方法。
（付記２）
各々の色差成分に適用される前記利得係数は、前記色差成分が−０．５〜０．５の範囲内となるようにするものである、付記１に記載の方法。
（付記３）
前記色差成分のスケーリングは、前記色差成分の量子化の前に適用される、付記１または２に記載の方法。
（付記４）
前記色差成分のスケーリングは、前記色差成分の量子化の後に適用される、付記１または２に記載の方法。
（付記５）
前記画像の部分は、８ビットを超えるビット深度を有するハイダイナミック・レンジの画像の部分である、付記１〜４のいずれか１項に記載の方法。
（付記６）
前記適用される利得係数を表すデータを送信することをさらに含む、付記１〜５のいずれか１項に記載の方法。
（付記７）
前記適用される利得係数を表す前記データは、ビデオ・ユーザビリティ情報のフィールドに含まれる、付記６に記載の方法。
（付記８）
使用される前記色域を示すデータがビデオ・ユーザビリティ情報のｍａｔｒｉｘ＿ｃｏｅｆｆフィールドに含まれる、付記７に記載の方法。
（付記９）
色空間における画像の部分の色特性を規定する色成分を含む画像データを復号する方法であって、当該方法は、少なくとも画像の部分に対し、
受信されたデータ・ビットストリームを復号することと、
前記復号されたビットストリームから色差成分を取得することと、
符号化の前に前記色差成分に適用される利得係数に対応する再スケーリング係数を適用することによって、前記色差成分を再スケーリングすることであって、前記利得係数は前記色空間の色域に依存している、前記再スケーリングすることと、
前記画像の部分の対応する色成分を取得するために、前記再スケーリングされた色差成分を処理することと、
を含む、前記方法。
（付記１０）
ビデオ・ユーザビリティ情報のフィールドに含まれる、符号化の前に適用される前記利得係数を表すデータを受信することを含む、付記９に記載の方法。
（付記１１）
色空間における画像の部分の色特性を規定する色成分を含む画像データを符号化する符号化器であって、
前記画像の部分の色成分から取得された色差成分を、当該色差成分のダイナミック・レンジを拡張するために利得係数を適用することによってスケーリングするスケーリング・モジュールであって、各々の色差成分に適用される前記利得係数は前記色空間の色域に依存している、前記スケーリング・モジュールと、
前記スケーリングされた色差成分を符号化する符号化モジュールと、
を含む、前記符号化器。
（付記１２）
色空間における画像の部分の色特性を規定する色成分を含む画像データを復号する復号器であって、
受信されたビットストリームを復号する復号モジュールと、
前記復号されたビットストリームから色差成分を取得する処理モジュールと、
符号化の前に前記色差成分に適用される利得係数に対応する再スケーリング係数を適用することによって前記色差成分を再スケーリングする再スケーリング・モジュールであって、各々の色差成分に適用される前記利得係数は前記色空間の色域に依存している、前記再スケーリング・モジュールと、
前記画像の部分の対応する色成分を取得するために前記再スケーリングされた色差成分を処理する画像処理モジュールと、
を含む、前記復号器。
（付記１３）
色空間における画像の部分の色特性を規定する色成分を含む符号化された画像データであって、付記１〜８のいずれか１項に記載の方法に従って符号化されている前記画像データと、
ダイナミック・レンジを拡張するために、符号化する前に前記画像データの色差成分に適用される利得係数を表すデータと、
を含む、データ・パッケージ。
（付記１４）
プログラム可能な装置のためのコンピュータ・プログラム製品であって、前記プログラム可能な装置にローディングされて実行されたときに、付記１〜１０のいずれか１項に記載の方法を実行する命令のシーケンスを含む、前記コンピュータ・プログラム製品。